(57)【特許請求の範囲】
【請求項１】
両側端が折り曲げられた板紙製筒状体からなり、かつ該板紙製筒状体の長手方向の中央付近に設けられるとともに該筒状体の軸に対してほぼ直交するように形成された１つの折り畳み用折り目もしくは該筒状体の長手方向に離間して設けられるとともに該筒状体の軸に対してほぼ直交するように形成された複数の折り畳み用折り目を備えた展示用表示体であって、
前記板紙製筒状体は、前記折り曲げられた両側端もしくはその付近に一端側および他端側が保持もしくは固定された弾性部材を有し、該弾性部材は、伸縮可能であるとともに前記筒状体の前記両側端が近接する方向に付勢するものであり、そして、前記展示用表示体は、前記弾性部材の付勢力により、前記両側端が近接する方向に前記筒状体が変形することにより自立可能であり、かつ、前記筒状体を前記弾性部材が伸張する方向に押しかつ前記折り目にて折り曲げることにより、折り畳み可能であり、
前記展示用表示体は、前記筒状体の下端に設けられ、前記筒状体の自立時には展開可能であり、かつ、前記筒状体の折り畳み時には、中央に設けられた折り目にて折り畳み可能である板紙製足板を有し、
前記足板は、前記折り目の中央部の両側に起立および折り畳み可能に設けられるとともに前記筒状体に貼着された貼着片と、両側には折り目より反対方向に突出し、前記筒状体の自立時に筒状体の下端が当接可能な突片とを備えていることを特徴とする展示用表示体。
【請求項２】
前記足板は、中央の折り目で２つ折り可能な円形で、折り目の中央両側に間隔をおいて起立または折り畳み可能に設け、前記筒状体に貼着する貼着片と、前記中央の貼着片の両側で前記折り目より相反する方向に突出した突片と、前記中央の貼着片の両側で前記突片を嵌合する嵌合孔とが備えられた請求項１記載の展示用表示体。
【請求項３】
前記弾性部材の前記一端側および前記他端側は、前記筒状体の折り畳み用折り目の両側端の対向する位置にて保持もしくは固定されている請求項１または２に記載の展示用表示体。
【請求項４】
前記弾性部材は、前記筒状体の両側端の対向位置に設けた前記弾性部材を通す取付け孔と、該取付け孔に挿通した弾性部材を付勢状態にて前記筒状体の外部で止める止め部材とにより前記筒状体に保持されている請求項１ないし３のいずれかに記載の展示用表示体。
【請求項５】
前記弾性部材は、ゴム紐である請求項１ないし４のいずれかに記載の展示用表示体。
【請求項６】
前記展示用表示体は、前記筒状体の長手方向の中央付近に設けられた一つの前記折り畳み用折り目と、２つの前記弾性部材を有するものであり、第１の弾性部材は、前記折り畳み用折り目より前記筒状体の上端側に所定距離離間した位置に設けられ、第２の前記弾性部材は、前記折り畳み用折り目より前記筒状体の下端側に所定距離離間した位置に設けられている請求項１ないし５のいずれかに記載の展示用表示体。
【請求項７】
前記第１の弾性部材は、前記折り畳み用折り目と前記筒状体の上端間の中間付近もしくは中間付近より前記折り畳み用折り目側となる位置に設けられている請求項６に記載の展示用表示体。
【請求項８】
前記第２の弾性部材は、前記折り畳み用折り目と前記筒状体の下端間の中間付近もしくは中間付近より前記折り畳み用折り目側となる位置に設けられている請求項６または７に記載の展示用表示体。
【発明の詳細な説明】
【技術分野】
【０００１】
本発明は、店頭、ショウルーム、展示会会場等適宜の展示場所に立てる広告表示板、案内表示板等展示用表示体に関し、弾性部材を利用して簡単に自立でき、また折り畳み可能な展示用表示体に関する。
【背景技術】
【０００２】
従来、立て看板装置として、左右両側縁が折曲自在部を介して連結された前・後面板からなるパネル体で、その後面板に劣弧の切り線と折り線で形成される起伏可能な維持用板部を備えたものがある（特許文献１参照）。また、立体広告装置として、表板と裏板を筒状とした胴体の内部に複数の支持板に引き部材を貫通させたものがある（特許文献２参照）。【０００３】
【特許文献１】実用新案登録第３０９３４２２号公報
【特許文献２】実用新案登録第３０９２４７９号公報
【発明の開示】
【発明が解決しようとする課題】
【０００４】
特許文献１の立て看板装置は、後面板に起伏可能な複数の維持用板部を備え、脚部材が別体とした構造であり、各維持用板部を折り曲げ、脚部材を底部に嵌めるので、組立に手間がかかる。また、後面に開口ができるので、後面は表示面としにくいなどの問題がある。特許文献２の立体広告装置では、複数の支持板を貫通する引き部材の構成が複雑である。【０００５】
本発明の目的は、板紙製筒状体を立てる時には弾性部材の付勢力により変形させて自立させて展示することができ、又筒状体の折り畳み時には弾性部材を伸張方向に押して折り畳み可能とできる展示用表示体を提供するものである。
【課題を解決するための手段】
【０００６】
本発明の展示用表示体は、両側端が折り曲げられた板紙製筒状体からなり、かつ該板紙製筒状体の長手方向の中央付近に設けられるとともに該筒状体の軸に対してほぼ直交するように形成された１つの折り畳み用折り目もしくは該筒状体の長手方向に離間して設けられるとともに該筒状体の軸に対してほぼ直交するように形成された複数の折り畳み用折り目を備えた展示用表示体であって、
前記板紙製筒状体は、前記折り曲げられた両側端もしくはその付近に一端側および他端側が保持もしくは固定された弾性部材を有し、該弾性部材は、伸縮可能であるとともに前記筒状体の前記両側端が近接する方向に付勢するものであり、そして、前記展示用表示体は、前記弾性部材の付勢力により、前記両側端が近接する方向に前記筒状体が変形することにより自立可能であり、かつ、前記筒状体を前記弾性部材が伸張する方向に押しかつ前記折り目にて折り曲げることにより、折り畳み可能であり、
前記展示用表示体は、前記筒状体の下端に設けられ、前記筒状体の自立時には展開可能であり、かつ、前記筒状体の折り畳み時には、中央に設けられた折り目にて折り畳み可能である板紙製足板を有し、
前記足板は、前記折り目の中央部の両側に起立および折り畳み可能に設けられるとともに前記筒状体に貼着された貼着片と、両側には折り目より反対方向に突出し、前記筒状体の自立時に筒状体の下端が当接可能な突片とを備えている。
【図面の簡単な説明】
【０００７】
【図１】図１は、本発明の実施例の展示用表示体を立てた状態の斜視図である。
【図２】図２は、図１に示した展示用表示体の側面図である。
【図３】図３は、図１に示した展示用表示体の縦断面図である。
【図４】図４は、図１に示した展示用表示体の横断平面図である。
【図５】図５は、図１に示した展示用表示体の要部拡大断面図である。
【図６】図６は、図１に示した展示用表示体の折り畳み時の斜視図である。
【図７】図７は、図１に示した展示用表示体の展開図である。
【図８】図８は、図１に示した展示用表示体の足板の展開図である。
【図９】図９は、本発明の他の実施例の展示用表示体を立てた状態の斜視図である。
【図１０】図１０は、図９に示した展示用表示体の側面図である。
【発明を実施するための最良の形態】
【０００８】
この発明の展示用表示体を実施するための最良の形態を図面に基づいて説明する。
本発明の展示用表示体１００は、両側端が折り曲げられた板紙製筒状体１の長手方向の中央付近に形成された１つの折り畳み用折り目８もしくは筒状体１の長手方向に離間して設けられるとともに筒状体１の軸に対してほぼ直交するように形成された複数の折り畳み用折り目を備える。板紙製筒状体１は、両側端もしくはその付近に一端側および他端側が保持もしくは固定された弾性部材９を有する。弾性部材９は、筒状体１の両側端５を近接する方向に付勢し、展示用表示体１００は、弾性部材９の付勢力により自立可能である。さらに、展示用表示体１００は、筒状体１を弾性部材が伸張する方向に押しかつ折り畳み用折り目８にて折り曲げることにより、折り畳み可能である。 【０００９】
そこで、図面に示す好適実施例について説明する。
この実施例の展示用表示体１００は、板紙製筒状体１と足板１３とにより形成されている。
筒状体１は、図７の展開図に示すように、可撓性を有する厚紙製、或いは段ボール紙製等板紙で、同じ大きさの表板２と裏板３が縦方向の折り目４ａを介して連設された状態となっている。そして、表板２の端部に縦方向の折り目４ｂの側部に接着片２ａが設けられている。この接着片２ａを裏板３に接着して両側端５が折り目４ａおよび４ｂにて折り曲げられることにより、板紙製筒状体１が形成されている。また、足板１３は、図４及び図８に示すように、厚紙製、或いは段ボール紙製等板紙で略円形に形成されるとともに、中央に折り目１４を有する。また、足板１３は、折り目１４の線に対称に筒状体１への貼着のための一対の貼着片１７を備え、この貼着片１７が筒状体の表裏板の下部に貼着されている。足板１３は、折り目１４で展開又は折り畳み可能となっている。図に示す実施例では、表板２と裏板３は長方形となっており、筒状体１は、縦長の長方形のものとなっている。
筒状体１の表板２と裏板３の上部は略円弧状に形成されている。上部の円弧部６から両端上部の折り目４に相当する部分まで開放部７が設けられている。開放部７は両端上部にコ字型切り込みを入れて形成し、筒状体１の上部を開閉し易くしてある。筒状体の上部は円弧状とし、その両端部に開放部を設けたが、この形状に限られるものではない。また、接着片は表板２の端部に折り目４を介して設けたが、裏板の端部、或いは表板と裏板の両方の端部に設けて接着するようにしても良い。【００１０】
図１ないし図６に示すように、この実施例の展示用表示体１００は、両側端５が折り曲げられた板紙製筒状体１を備え、筒状体１は、筒状体１の長手方向の中央付近に設けられるとともに筒状体１の軸に対してほぼ直交するように形成された１つの折り畳み用折り目８を有している。
この実施形態では、筒状体１は、縦長の長方形で、その表板２と裏板３との長手方向の中央付近に折り畳み用折り目８を備え、２つ折りに折り畳みできるようにしてある。例えば、筒状体１を高さ約１メートル、幅約３５ｃｍの大きさのものとした場合には、ほぼ中央部に折り目を設け２つ折りにして折り畳みできるようにすることが好ましい。また、筒状体１は、折り畳み用折り目８より上部を下部より若干長く設け（言い換えれば、折り畳み用折り目８が筒状体１の中央より若干下部側となる位置に設け）、図６に示すように、筒状体１および足板１３の折り畳み時に、筒状体１の上部の端と、足板１３の突片２０の端がほぼ同じ長さとなるようにしてもよい。このようにすれば、折り畳み時に筒状体の上部と、足板を有する筒状体の下部を重ねてコンパクトに折り畳みできるようになる。また、筒状体１の上端は円弧状となっている。【００１１】
この実施形態では、筒状体１の長手方向のほぼ中央に折り目を設けた場合を示したが、これに限られるものではない。例えば、筒状体の全高が高いときには、コンパクトに折り畳むために、筒状体の長手方向に離間して設けられるとともに筒状体の軸に対してほぼ直交するように形成された複数の折り畳み用折り目を設けることが好ましい。
筒状体１に設けられる折り畳み用折り目８は、板紙の紙厚を考慮して折り曲げ易くするために間隔を狭くした２本の平行な折り目を設けて、表板２と裏板３をこの２本の折り畳み用折り目８でそれぞれ断面コ字型に折り曲げできるように構成されている。なお、折り畳み用折り目８は１本の折り目としてもよい。この筒状体１は、伸ばすときには、表板２と裏板３を折り畳み用折り目８で展開して長手方向に広げられる。また、筒状体１を折り畳む時には、両側端５を折って表板２と裏板３を合わせて扁平状とした後、扁平とした筒状体１を折り畳み用折り目８で折り返すことにより折り畳まれる。
この筒状体１の表裏両面またはいずれかが、広告、宣伝等の表示面として使用される。表示面は、広告、宣伝、案内等の表示を印刷、写真製版、手書きす、印刷物の貼着、コーティング等により構成される。
この実施例では、筒状体１は、縦長の長方形状とし、上部を円弧状としたが、これに限られるものではなく、例えば、人の形、各種キャラクターの形にかたどったものなど、適宜の形状にできる。【００１２】
この実施例の展示用表示体１００は、板紙製筒状体１の折り曲げられた両側端５もしくはその付近に一端側および他端側が保持もしくは固定された弾性部材９を有する。弾性部材９は、伸縮可能であるとともに、筒状体１の向かい合う両側端５が近接する方向に付勢する。
そして、展示用表示体１００は、弾性部材９の付勢力により、向かい合う両側端５が近接する方向に筒状体１が変形することにより、自立可能となっている。かつ、展示用表示体１００は、筒状体１を弾性部材９が伸張する方向に押しかつ折り畳み用折り目８にて折り曲げることにより、折り畳み可能である。
この弾性部材９の付勢力は、筒状体１を広げたとき、弾性部材９を抑えていた筒状体１の重みによる抑える力が除かれることにより発現する。筒状体１は、向かい合う両側端５が弾性部材９の付勢力（復元力）により、近づく方向に引張られることにより変形する。すなわち、筒状体１の両側端５を弾性部材９の付勢力で近づけることにより、表板２と裏板３の可撓性により、筒状体１は、外側へ円弧状に膨出する。弾性部材９の付勢力で両側端を内側へ引っ張ると表板２と裏板３には外側に円弧状（湾曲状）に膨出する応力が働くので、筒状体１は断面が略楕円状に保持される。【００１３】
弾性部材９の付勢力としては、筒状体１の折り畳み時の向かい合う両側端５の距離をａとしたとき、筒状体１を広げ、弾性部材９の付勢力により筒状体が変形したときの上記両側端５の距離が、０．９ａ〜０．６ａ程度となるものであることが好ましい。
また、筒状体１を扁平に折畳むときは、弾性部材９を伸張する方向に押し（言い換えれば、上述した円弧状に変形した筒状体１を扁平となるように押し）、すなわち弾性部材９を復元力に抗して伸ばし、筒状体１を折り畳み用折り目８で折り返しされる。弾性部材の付勢力としては、円弧状に変形した筒状体１を扁平となる方向に容易に押圧可能であり、かつ、筒状体１を扁平状体とした後、折り畳み用折り目８で折り返して重ね合わせたとき、板紙の重みで折り畳み状態が保持できる程度であることが好ましい。【００１４】
弾性部材９は、筒状体１の折り曲げられた両側端５もしくはその付近に一端側および他端側が保持もしくは固定されている。
弾性部材９の保持ないし固定は、図１ないし図５に示すように、筒状体１の折り畳み用折り目８の両側端５の対向する位置間とするのが好ましい。弾性部材９は、例えば、ゴム紐が好ましい。
ゴム紐９を筒状体の折り畳み用折り目８の両側端５に保持ないし固定すれば、ゴム紐９の付勢力により両側端５間は引張られ、表板２、裏板３と共に折り畳み用折り目８が円弧状に膨出した状態となるとともにその状態が保持される。すなわち、この実施例では、筒状体１の両側端５をゴム紐９で引っ張ることにより、表板２と裏板３は湾曲し前後に押し広げられ、折り畳み用折り目８も湾曲する。筒状体１の変形部分でありかつ弾性部材（ゴム紐）配置部位には、弾性部材（ゴム紐）による張力がかかっているので、筒状体を立てたときに折り目で折れ曲がることがなく、筒状体は安定した状態で自立できる。また、折り畳み用折り目８の両側端５にゴム紐９を備えてあるが、ゴム紐を付勢力に抗して伸張する方向に押し、その状態で筒状体１を折り畳み用折り目８で折り返して重合することによりコンパクトに折り畳みでき、折り畳み状態は、板紙の重みにより保持される。【００１５】
弾性部材９を筒状体１の折り畳み用折り目８の両側端に保持する構造について、図５を用いて説明する。
この実施例の展示用表示体１００では、弾性部材９の一端側および他端側は、筒状体１の折り畳み用折り目８の両側端の対向する位置間にて保持もしくは固定されている。特に、この実施例では、弾性部材９の保持は、筒状体１の１又は複数箇所の両側端の対向位置に設けた弾性部材を通す取付け孔１０と、取付け孔１０に挿通した弾性部材を付勢状態にて筒状体の外部で止める止め部材とにより筒状体に保持されている。具体的に説明すると、筒状体１への弾性部材９の保持は、以下のように行われている。
筒状体１には、折り畳み用折り目８の両側端５の対向位置に弾性部材（例えば、ゴム紐）９を通す取付け孔１０が設けられている。弾性部材（ゴム紐）９は、取付け孔１０に挿通されるとともに、伸張状態（筒状体１の両側端５を近接する方向に付勢する状態）となるように、筒状体１の外部で止め部材１１で止められている。止め部材１１としては、この実施形態では、断面コ字型止め金具を用いている。この止め金具１１は、両側に折り曲げ可能な側辺１２を有する。弾性部材（ゴム紐）９の端部は、コ字型金具１１の内面にて折れ曲がり、止め金具１１のカシメられた両側辺１２により、止め金具１１に固定されている。また、止め金具１１は、表面に穴を備える。カシメられた両側辺１２により固定されたゴム紐９の一部が、この穴に食い込ませるようにしてある。ゴム紐９は、その両端部がそれぞれ止め金具１１で止められるとともに、筒状体１の両側端の取付け孔１０を遊動可能に挿通している。このため、筒状体の自立又は折り畳みの際に、止め金具間（ゴム紐の両端部を保持する２つの止め金具間）で円滑に伸縮させることができる。なお、止め部材は、上記の止め金具に限るものではなく、ゴム紐の端部を結び止めること、また、他の適宜の止め具（例えば、ボタン）とすることができる。
上述した説明では、弾性部材を筒状体１の両側端に挿通して止め部材で止める場合を例にとり説明した。しかし、このようなものに限定されるものではなく、弾性部材は、その一端側および他端側を筒状体の折り曲げられた両側端５もしくはその付近の内側、或いは取付け孔等に適宜手段で保持もしくは固定して装着することもできる。【００１６】
図に示す実施例では、筒状体１は、折り畳み用折り目８より上部が下部より長く、かつ上部の円弧部７は両側から上部全体が開放されている。このため、筒状体１を折り畳み用折り目８で展開してゴム紐９で引っ張られると（言い換えれば、ゴム紐９が収縮すると）、筒状体１は、筒状体１の中央部より下方が、図１ないし図３に示すように膨出し、中央部より上方も同様に膨出する。そして、筒状体１は、筒状体１の上端の方ではゴム紐の張力による膨出が少なくなり、表板２と裏板３の間隔が段々と先が狭くなった状態にて立つ。
また、上述した実施例では、折り畳み用折り目８は、一つのみ設けられているが、このようなものに限定されるものではない。例えば、筒状体としては、その縦の長さを長くし、筒状体の軸に対してほぼ直交する複数の折り目を筒状体の長手方向に離間して設けてもよい。そして、この場合、各折り目の両側端にゴム紐（弾性部材）を装着すれば、縦長の筒状体を各折り目にてゴム紐の付勢力で引っ張って膨出させて立てることができる。
また、上述した実施例の展示用表示体１００では、ゴム紐（弾性部材）は、折り目に装着した場合を示したが、これに限られるものではなく、筒状体の折り目以外の部位、例えば、折り目付近或いはそれ以外の両側端の対向する位置に装着することもできる。【００１７】
また、弾性部材は、図９および図１０に示す実施例の展示用表示体２００のように複数設けられていてもよい。この実施例の展示用表示体２００は、筒状体１の長手方向の中央付近に設けられた一つの折り畳み用折り目８と、２つの弾性部材９ａ、９ｂを有している。
そして、第１の弾性部材９ａは、折り畳み用折り目８より筒状体１の上端側に所定距離離間した位置に設けられている。第２の弾性部材９ｂは、折り畳み用折り目８より筒状体１の下端側に所定距離離間した位置に設けられている。弾性部材９ａ，９ｂとしては、上述した弾性部材９と同じものが使用される。また、弾性部材９ａ，９ｂの筒状体１への取り付け方法としても上述した方法が好適に利用される。
そして、第１の弾性部材９ａは、折り畳み用折り目８と筒状体１の上端間の中間付近もしくは中間付近より折り畳み用折り目８側となる位置に設けられていることが好ましい。また、第２の弾性部材９ｂは、折り畳み用折り目８と筒状体１の下端間の中間付近もしくは中間より折り畳み用折り目８側となる位置に設けられていることが好ましい。
また、弾性部材９ａ，９ｂの付勢力としては、弾性部材配置部位における筒状体１の折り畳み時の向かい合う両側端５の距離をｂとしたとき、筒状体１を広げ、弾性部材９ａ，９ｂの付勢力により筒状体が変形したときの上記両側端５の距離が、０．９ｂ〜０．６ｂ程度となるものであることが好ましい。
また、筒状体１を扁平に折畳むときは、弾性部材９ａ，９ｂを伸張する方向に押し（言い換えれば、上述した円弧状に変形した筒状体１を扁平となるように押し）、すなわち弾性部材９ａ，９ｂを復元力に抗して伸ばし、筒状体１を折り畳み用折り目８で折り返しされる。弾性部材の付勢力としては、円弧状に変形した筒状体１を扁平となる方向に容易に押圧可能であり、かつ、筒状体１を扁平状体とした後、折り畳み用折り目８で折り返して重ね合わせたとき、重合し板紙の重みで折り畳み状態が保持できる程度であることが好ましい。【００１８】
この実施例の展示用表示体１００は、筒状体１の下端に取り付けられた足板１３を有している。
図１ないし図４、図６、図８に示すように、この実施例の展示用表示体１００は、筒状体の下端に、筒状体１の膨出又は折り畳みに伴って中央の折り目１４で展開又は折り畳み可能とした板紙製足板１３を有する。
また、足板１３には、折り目１４の中央両側に起立又は折り畳み可能に設けられ、筒状体に貼着される貼着片１７と、両側には折り目線より相反する方向に突出して設けられ、筒状体の自立時に筒状体の下端が当接可能な突片２０を有するものである。
つまり、この実施例の展示用表示体１００（２００）は、筒状体１の下端に設けられ、筒状体１の自立時には展開可能であり、かつ、筒状体１の折り畳み時には、中央の折り目１４にて折り畳み可能である板紙製足板１３を有している。そして、足板１３は、折り目１４の中央両側に起立又は折り畳み可能に設けられるとともに筒状体１に貼着された貼着片１７と、両側には折り目より相反する方向に突出し、筒状体１の自立時に筒状体の下端が当接可能な突片２０とを備えている。【００１９】
図８の展開図に示す板紙製足板１３の構成について説明する。
足板１３は、厚紙或いは段ボール紙等板紙により作製されている。足板１３は、筒状体１の幅とほぼ同じ又はそれ以上の直径を有する円形となっており、その中央部には、折り目１４を備える。足板１３は、折り目１４で展開又は折り畳み可能となっている。足板１３の大きさは、少なくとも筒状体１を立てるときに筒状体１が倒れないように支えることができる大きさとするのが好ましい。
足板１３は、折り目１４で一対の半円形状足板１３ａを折り曲げて２つ折り可能としたものである。足板１３は、その折り目１４の中央両側に所定の間隔をおいて起立又は折り畳み可能に設けられ、筒状体１に貼着される貼着片１７と、両側で折り目１４の線より相反する方向に突出した突片２０と、突片を嵌合する嵌合孔２１とを備える。筒状体１を開いたとき嵌合孔２１に嵌合した突片２０上に、筒状体１の下端が当接可能となっている。折り目１４は、円形の足板１３の中心線上で、貼着片１７と突片２０の間と、突片２０と外周との間に設けられている。折り目１４では、厚紙の中央に下面より厚みの中間まで入れられた切れ目の上部が折り目１４となっている。両足板１３ａは、この折り目１４により、上方にのみ折り畳み可能となっている。
足板１３には、折り目１４の中央部に位置し、ほぼ直交する方向に所定の幅を有し、ほぼ平行に設けられた２本の切り込み１６と、その２本の切り込み１６間を接続するように、折り目１４の線上の位置に入れられた切断線１５とにより構成された向かい合う２つのコ字型（略矩形状）の貼着片１７が設けられている。貼着片１７は、基端に折り目１８が設けられ、折り目１８より上方に直角に折り曲げて起立可能に設けられ、又は折り目１８で折り返して折り畳み可能に設けられている。【００２０】
折り目１８では、厚紙の下面より厚みの中間まで入れられた切れ目の上部が折り目１８となっている。貼着片１７は、折り目１８により上方にのみ折り曲げ可能となっている。向かい合う２２つの貼着片１７の所定の間隔は、筒状体１を膨出させた状態の筒状体の下端の間隔とほぼ同じとされている。すなわち、折り目１４の線を中心とする折り目１４から両側の折り目１８までの長さを加えたものが、筒状体１を膨出させた状態の筒状体の下端の間隔とほぼ同じとされる。この貼着片１７は、折り目１８で折り畳んだ状態で、筒状体１の表板２と裏板３の内面下部に接着剤等により固着される。そして、筒状体１の自立又は折り畳みに伴って、足板１３は、折り目１４で展開又は折り畳み可能であり、貼着片１７も折り目１８で起立又は折り畳み可能となっている。筒状体１は、ゴム紐の付勢力で膨出する（膨出するように変形する）とともに、足板１３の貼着片１７により、筒状体１の下部が広げられて立てられることになる。
さらに、足板１３には、筒状体１を立てたとき足板が折り目で折れるのを防ぐための立設時足板折れ曲がり抑制機構が設けられている。折れ曲がり抑制機構は、足板１３の両側部に折り目１４形成部位から延びるとともに、折り目１４に対して相反する方向（反対向き）に延びる２つのコ字型切り込みにより形成されたコ字型嵌合孔２１と、上記のコ字型嵌合孔２１を形成する切り込みにより、それぞれの足板部１３ａに形成された折り目線１４より突出する突片２０とにより構成されている。なお、図８に示すように、突出片２０には、折り目１４は、形成されていない。この構造とすることにより、足板１３の展開時に突片２０はコ字型嵌合孔２１に嵌め合せられて同一面となり、その上に筒状体１の下端が当接される。また、足板１３を折り目１４で折り畳む時は、図６に示すように、足板の突片２０は、折り目線より真っ直ぐに突出した状態となる。突片２０の長さは、少なくとも自立した筒状体１の円弧の下端が当接可能な長さとする。【００２１】
足板１３を前記構造とすれば、筒状体１を前記のように開き、足板１３を開いて床面に置いたとき、貼着片１７で筒状体１の下部が所定の間隔に開かれて保持され、足板の両側において足板の折れ目線から相反する方向に突出して設けられた突片２０が反対側の足板の嵌合孔２１に嵌合されて同一面となり、その上に開いた筒状体の下端が当接する状態となる。このため、開いた足板１３の対称位置において、突片２０が筒状体１の下端で押さえられており、筒状体の表側或いは裏側に風等が当たって倒れる方向に力がかかった際、対称に設けた突片２０の作用で足板が折れ目で折れ曲がるのを防ぎ、筒状体が倒れるのを防ぐことができる。すなわち、２つ折りの足板１３は展開して、その一方の足板部１３ａの突片２０が他方の足板部１３ａの嵌合孔２１に嵌合した状態にて、床面に置くことにより、突片２０の作用で足板が折れ目で折れ曲がるのを防ぐ。従って、筒状体に風が当たり倒す力がかかっても、足板が上方へ折れて筒状体が倒れるのを防ぐことができる。
折り畳むときは、筒状体を持ち上げれば、足板１３の折り目１４は折り返し自由となり、簡単に折り畳むことができる。
なお、足板の外形、貼着片、突片は前記の形状に限られるものでなく、適宜の形状とすることができる。【００２２】
本発明の展示用表示体の作用について説明する。
本発明の展示用表示体を広げて立てるときは、図６に示すように折畳んだ状態の筒状体１を図１ないし図３に示すように広げて延ばすことにより行われる。筒状体１を広げて延ばすことにより、弾性部材９の付勢力（復元力、収縮力）により、筒状体１の両側端が近づく方向に引張られ、筒状体１は、断面円弧状（彎曲状）に膨出（変形）し、同時に下部の足板１３が広げられて筒状体１を広げた状態に保持して自立する。この展示用表示体は、自立状態にて、床面等に安定して置くことができ、広告、宣伝、案内等の表示として立てて展示できる。
そして、上述した実施例の展示用表示体では、足板１３には、貼着片１７を所定の間隔で起立又は折り畳み可能に設けられているので、貼着片の起立又は折り畳みで筒状体の下部を開閉できる。また、足板１３の両側に相反する方向に突片２０を設ければ、筒状体１を広げて展示用表示体を床面等に置いて立てたとき、筒状体の下端で突片２０を押さえるので、筒状体に風等が当たっても足板が折り目で折れるのを防ぎ、展示用表示体が倒れるのを防止することができる。
図６に示すように、展示用表示体は、先ず筒状体１を弾性部材の付勢力に抗して押して伸張して扁平とし、中央の折り畳み用折り目８で折り返し、かつ足板１３を中央の折り目１４で折り畳み、貼着片１７を折り目１８で折り畳み、扁平として折り畳んだ筒状体に沿わせることにより、容易に折り畳むことができ、折り畳まれた表示体は、コンパクトなものとなり、運搬が容易である。【００２３】
以上の実施形態を示したが、この発明はこの形態に限定されるものではなく、この発明の要旨を逸脱しない範囲で、種々の形態を実施しうるものである。上記実施形態では、表示体（筒状体）、足板等を段ボール製或いは厚紙製の板紙により構成した場合について説明した。しかし、これに限られるものではなく、表示体（筒状体）、足板は、合成樹脂、金属製等の板材などで作成することもできる。
【産業上の利用可能性】
【００２４】
本発明の展示用表示体によれば、筒状体の長手方向の中央付近に設けられた１つの折り畳み用折り目もしくは該筒状体の長手方向に離間して設けられた複数の折り畳み用折り目で長手方向に折り畳み又は展開できる。また、展示用表示体を立てる時には、両側端を近接する方向に付勢する弾性部材の付勢力により筒状体を変形させて自立させることができる。本発明の展示用表示体は、広告、宣伝、案内等の表示として立てて展示でき、また、折り畳むときには、弾性部材が伸張する方向に押して表示体を扁平として折り目にて折り曲げて折り畳むことができる。また、組立て方法が簡単なので、店頭、ショウルーム等での展示・設置の時間や手間を大幅に短縮することができる。
また、展示用表示体は、全て板紙で製作すれば、軽量で持ち運び、展示、保管等に便利であり、安価に提供でき、リサイクルも可能で、廃棄処分も簡単で便利である。【００２５】
そして、弾性部材を筒状体の折り畳み用折り目の両側端間の対向する位置に保持もしくは固定するものとすれば、自立時に弾性部材による付勢力で折り目が表裏両面とともに湾曲状に保持でき、折り目の折れ曲がりを防止できる。また、弾性部材は、筒状体の両側位置に設けた取付け孔に挿通して付勢状態で止め部材で保持するものとすれば、弾性部材を簡単に筒状体に装着できる。弾性部材としてゴム紐を使用すれば、装着、保守管理も容易である。【００２６】
また、筒状体の下端に筒状体の自立又は折り畳みに伴って中央の折り目で展開又は折り畳み可能とした板紙製足板を備えるものとすれば、展示用表示体を開いて立てるときは足板も同時に展開して展示用表示体を簡単に自立させて床面等に安定して置くことができ、展示用表示体を折り畳むときは、筒状体と共に足板を閉じてコンパクトに折り畳むことができる。
また、足板として、折り目の中央両側に筒状体に貼着される貼着片が起立又は折り畳み可能に設けられ、両側には折り目線より相反する方向に前記筒状体の自立時に筒状体の下端が当接可能な突片を有するものとすれば、貼着片の起立又は折り畳みで筒状体の下部を開閉できるとともに、筒状体を自立させた時足板を同時に開いて筒状体の下端を突片の上に当接させることができる。このため、展示用表示体を床面等に置いて立てたとき、筒状体に風等が当っても足板が折り目で折れるのを防いで展示用表示体が倒れるのを防ぐことができる。
【図１】
0004538500.tif 000002
【図２】
0004538500.tif 000003
【図３】
0004538500.tif 000004
【図４】
0004538500.tif 000005
【図５】
0004538500.tif 000006
【図６】
0004538500.tif 000007
【図７】
0004538500.tif 000008
【図８】
0004538500.tif 000009
【図９】
0004538500.tif 000010
【図１０】
0004538500.tif 000011